(57)【要約】【課題】ワイヤーハーネスが部分的に振動等により異音が発生源となったり、動作する補機に噛み込まれることを防止できるワイヤーハーネスの固定部材およびシートを提供する。【解決手段】シート１０は、第１配管１５および第２配管１６に沿って配索され、座部外装材１１Ａおよび背もたれ部外装材１２Ａに装備される空調ファン１３および吹き出し部１４に接続されるワイヤーハーネス１８と、ワイヤーハーネス１８を保持するとともに、接続部２１における第１配管１５の外面と第２配管１６の内面との間に挿入片２４を挿入することにより固定する固定部材２０とを有する。【選択図】図２
2009154653.tif 000002
【特許請求の範囲】
【請求項１】
第１配管と、前記第１配管の端部における内側に挿入されて接続される第２配管とを有する空調ダクトの長手方向に沿ってワイヤーハーネスを配索するためのワイヤーハーネスの固定部材であって、
前記ワイヤーハーネスを保持する保持部と、
前記保持部に連結されて、前記第１配管の内面と前記第２配管の外面との間に挿入可能な挿入片とを有することを特徴とするワイヤーハーネスの固定部材。
【請求項２】
請求項１に記載のワイヤーハーネスの固定部材であって、
前記保持部が、前記ワイヤーハーネスを挟持する面状部材を有し、
前記挿入片が前記面状部材と一体に形成されていることを特徴とするワイヤーハーネスの固定部材。
【請求項３】
請求項２に記載のワイヤーハーネスの固定部材であって、
前記挿入片が前記ワイヤーハーネスの長手方向に対して交差する方向に突出する突出部と、前記突出部に支持されて前記ワイヤーハーネスの長手方向に対して平行な挿入部とを有することを特徴とするワイヤーハーネスの固定部材。
【請求項４】
請求項１に記載のワイヤーハーネスの固定部材であって、
前記保持部が、前記ワイヤーハーネスを握着する握着部材を有し、
前記挿入片が前記握着部材と一体に形成されていることを特徴とするワイヤーハーネスの固定部材。
【請求項５】
請求項４に記載のワイヤーハーネスの固定部材であって、
前記挿入片の先端が前記第２配管の端面に当接するように屈曲されていることを特徴とするワイヤーハーネスの固定部材。
【請求項６】
請求項４に記載のワイヤーハーネスの固定部材であって、
前記挿入片を一対有し、前記各挿入片が前記ワイヤーハーネスの長手方向に対して平行な方向に沿って配置されているとともに、互いに離れる方向に向けて配向されていることを特徴とするワイヤーハーネスの固定部材。
【請求項７】
座部および背もたれ部のうちの一方に設けられた空調ファンと、
前記座部および前記背もたれ部のうちの他方に設けられて前記空調ファンからの送風を吹き出す吹き出し部と、
前記空調ファンからの送風を前記吹き出し部に導通させるために、前記座部および前記背もたれ部にそれぞれ設けられた第１配管および第２配管と、
前記第１配管の端部における内側に前記第２配管の端部が挿入された接続部と、
前記第１配管および前記第２配管に沿って配索され、前記座部および前記背もたれ部に装備される補機に接続されるワイヤーハーネスと、
前記ワイヤーハーネスを前記第１配管および前記第２配管に沿って固定するための固定部材とを備え、
前記固定部材が、
前記ワイヤーハーネスを保持する保持部と、
前記保持部に連結されて、前記第１配管の内面と前記第２配管の外面との間に挿入可能な挿入片とを有することを特徴とするシート。
【発明の詳細な説明】
【技術分野】
【０００１】
本発明は、空調ファンからの送風を吹き出し部に導通させるために接続された第１配管および第２配管に沿って配索されたワイヤーハーネスの固定部材およびシートに関する。
【背景技術】
【０００２】
例えば自動車等の車両に設置されるシートとしては、車体に対してシートの座部を前後方向及び上下方向に位置調整するための電動機構や、背もたれ部を座部に対してリクラインニングさせるための電動機構、あるいは座部の表面、背もたれ部の背もたれ面の温度や湿度を調整するための空調機器（以下、まとめて補機という）や、これらの補機を電気的に接続するためのワイヤーハーネス等が搭載された電動シートが知られている。
【０００３】
シートに搭載された空調機器は、背もたれ面を加温するために、座部に内蔵された空調ファンからの温風が背もたれ部の背もたれ面に設けられた吹き出し部から吹き出すように、シートの内側に配管が設けられ、ワイヤーハーネスは前述した配管に沿って配索されている（例えば、特許文献１参照）。
【特許文献１】特開２００２−２６４７１０号公報
【発明の開示】
【発明が解決しようとする課題】
【０００４】
ところで、シートの内側に配索されるワイヤーハーネスは、その全域をシートに固定することが難しく、部分的に何処にも固定されずに空中配索される箇所がある。
このため、従来の補機が搭載されたシートにおいては、ワイヤーハーネスにおける空中配索される箇所が、振動等により異音を発生させたり、あるいは動作に伴って補機に噛み込まれる虞がある。
【０００５】
本発明は、前述した事情に鑑みてなされたものであり、その目的は、ワイヤーハーネスが部分的に振動等により異音が発生源となったり、動作する補機に噛み込まれることを防止できるワイヤーハーネスの固定部材およびシートを提供することにある。
【課題を解決するための手段】
【０００６】
前述した目的を達成するために、本発明に係るワイヤーハーネスの固定部材は、下記（１）ないし（６）を特徴としている。
（１）  第１配管と、前記第１配管の端部における内側に挿入されて接続される第２配管とを有する空調ダクトの長手方向に沿ってワイヤーハーネスを配索するためのワイヤーハーネスの固定部材であって、前記ワイヤーハーネスを保持する保持部と、前記保持部に連結されて、前記第１配管の内面と前記第２配管の外面との間に挿入可能な挿入片とを有すること。
【０００７】
（２）  上記（１）の構成のワイヤーハーネスの固定部材において、
前記保持部が、前記ワイヤーハーネスを挟持する面状部材を有し、前記挿入片が前記面状部材と一体に形成されていること。
【０００８】
（３）  上記（２）の構成のワイヤーハーネスの固定部材において、
前記挿入片が前記ワイヤーハーネスの長手方向に対して交差する方向に突出する突出部と、前記突出部に支持されて前記ワイヤーハーネスの長手方向に対して平行な挿入部とを有すること。
【０００９】
（４）  上記（１）の構成のワイヤーハーネスの固定部材において、
前記保持部が、前記ワイヤーハーネスを握着する握着部材を有し、前記挿入片が前記握着部材と一体に形成されていること。
【００１０】
（５）  上記（４）の構成のワイヤーハーネスの固定部材において、
前記挿入片の先端が前記第２配管の端面に当接するように屈曲されていること。
【００１１】
（６）  上記（４）の構成のワイヤーハーネスの固定部材において、
前記挿入片を一対有し、前記各挿入片が前記ワイヤーハーネスの長手方向に対して平行な方向に沿って配置されているとともに、互いに離れる方向に向けて配向されていること。
【００１２】
上記（１）の構成のワイヤーハーネスの固定部材では、ワイヤーハーネスを保持する保持部に連結された挿入片が第１配管の内面と第２配管の外面との間に挿入されるため、例えばシートの内側においてワイヤーハーネスが部分的に空中配索となる箇所が振動等により異音を発生させたり、あるいは動作に伴って補機に噛み込まれる虞を解消できる。
【００１３】
また、上記（２）の構成のワイヤーハーネスの固定部材では、挿入片が一体に形成された面状部材によりワイヤーハーネスを挟持するため、製造コストを低くできるとともに占有空間を小さくすることができ、廃棄時にリサイクルを考慮した分別も容易に行える。
【００１４】
さらに、上記（３）の構成のワイヤーハーネスの固定部材では、挿入片が突出部および挿入部を有する略Ｌ字状であるため、突出部を適宜変形させることにより、第１配管および第２配管に対するワイヤーハーネスの固定形態を任意に選択できる。
【００１５】
次に、上記（４）の構成のワイヤーハーネスの固定部材では、ワイヤーハーネスを握着する握着部材に挿入片が一体に形成されているため、製造コストを低くできるとともに占有空間を小さくすることができ、廃棄時にリサイクルを考慮した分別も容易に行える。
【００１６】
また、上記（５）の構成のワイヤーハーネスの固定部材では、挿入片の先端が第２配管の端面に当接するように屈曲されているため、挿入片の先端が第２配管の端面に当接するまで第１配管の内面と第２配管の外面との間に挿入片を挿入すれば、第１配管と第２配管とを分離させない限り、第１配管と第２配管との間から挿入片が引き抜き不可能となり、これによりワイヤーハーネスを確実に固定できる。
【００１７】
さらに、上記（６）の構成のワイヤーハーネスの固定部材では、一対の挿入片がワイヤーハーネスの長手方向に対して平行な方向に互いに離れる方向に向けて配向されているため、各挿入片が第１配管の内面と第２配管の外面との間から同時に脱落しない限り、第１配管および第２配管に沿ってワイヤーハーネスを確実に固定できる。
【００１８】
（７）  また、前述した目的を達成するために、本発明に係るシートは、座部および背もたれ部のうちの一方に設けられた空調ファンと、前記座部および前記背もたれ部のうちの他方に設けられて前記空調ファンからの送風を吹き出す吹き出し部と、前記空調ファンからの送風を前記吹き出し部に導通させるために、前記座部および前記背もたれ部にそれぞれ設けられた第１配管および第２配管と、前記第１配管の端部における内側に前記第２配管の端部が挿入された接続部と、前記第１配管および前記第２配管に沿って配索され、前記座部および前記背もたれ部に装備される補機に接続されるワイヤーハーネスと、前記ワイヤーハーネスを前記第１配管および前記第２配管に沿って固定するための固定部材とを備え、前記固定部材が、前記ワイヤーハーネスを保持する保持部と、前記保持部に連結されて、前記第１配管の内面と前記第２配管の外面との間に挿入可能な挿入片とを有することを特徴とする。
【００１９】
上記（７）の構成のシートでは、ワイヤーハーネスを保持する保持部に連結された挿入片が第１配管の内面と第２配管の外面との間に挿入されるため、例えばシートの内側においてワイヤーハーネスが部分的に空中配索となる箇所が振動等により異音を発生させたり、あるいは動作に伴って補機に噛み込まれる虞を解消できる。
【発明の効果】
【００２０】
本発明のワイヤーハーネスの固定部材およびシートによれば、第１配管の内面と第２配管の外面との間に挿入される挿入片を介してワイヤーハーネスが固定されるため、シートの内側においてワイヤーハーネスが部分的に空中配索となる箇所が振動等により異音を発生させたり、あるいは動作に伴って補機に噛み込まれる虞を解消できるという効果を有する。
【発明を実施するための最良の形態】
【００２１】
以下、本発明の実施形態に係るワイヤーハーネスの固定部材およびシートについて、図面を参照して説明する。
（第１実施形態）
図１に示すように、第１実施形態のシート１０は、車室の床面に固定される図示しないフレームに座部外装材１１Ａおよび背もたれ部外装材１２Ａが装着された座部１１および背もたれ部１２を備え、自動車等の車両に設置される。
【００２２】
シート１０は、座部外装材１１Ａに内蔵された空調ファン１３と、背もたれ部外装材１２Ａに内蔵されて空調ファン１３からの送風を吹き出す吹き出し部１４と、空調ファン１３からの送風を吹き出し部１４に導通させる第１配管１５および第２配管１６と、第１配管１５および第２配管１６を接続する中間ダクト１７と、第１配管１５および第２配管１６に沿って配索されたワイヤーハーネス１８と、ワイヤーハーネス１０を保持するとともにワイヤーハーネス１８に固定する固定部材２０とを備えている。
【００２３】
空調ファン１３は、車室内から吸引した空気を加温した後、第１配管１５、中間ダクト１７、第２配管１６を介して吹き出し部１４に送風する。
吹き出し部１４は、空調ファン１３から送風された温風を吹き出し口１４Ａから吹き出して背もたれ面を加温する。
【００２４】
第１配管１５は、空調ファン１３に連通されるとともに座部外装材１１Ａの内側に設けられ、座部外装材１１Ａの後端部を経て背もたれ部外装材１２Ａの下端部まで延出されている。
第２配管１６は、吹き出し部１４に連通されるとともに背もたれ部外装材１２Ａの内側に設けられている。
【００２５】
図２に示すように、第１配管１５および第２配管１６は、断面略矩形状の角筒とされ、中間ダクト１７を介して接続されている。
中間ダクト１７は、貫通方向両端部が先細りに形成された断面略矩形状の角筒とされ、一方の端部１７Ａが第１配管１５の内側に挿入され、他方の端部１７Ｂが第２配管１６の内側に挿入されている。
【００２６】
なお、中間ダクト１７は、本発明において、第２配管１６の一部として説明する。
従って、中間ダクト１７の他方の端部１７Ａは、第２配管１６としての端部となる。
【００２７】
図１に戻って、ワイヤーハーネス１８は、第１配管１５に沿って配索されたワイヤーハーネス１８Ａと、第２配管１６に沿って配索されたワイヤーハーネス１８Ｂとを備えている。
ワイヤーハーネス１８Ａは座部外装材１１Ａに装備される補機である空調ファン１３に接続され、ワイヤーハーネス１８Ｂは背もたれ部外装材１２Ａに装備される補機である吹き出し部１４に接続されている。
これらのワイヤーハーネス１８Ａおよびワイヤーハーネス１８Ｂは、コネクタ１９を介して接続されている。
【００２８】
再び図２に示すように、固定部材２０は、ワイヤーハーネス１８Ａを保持する保持部２１と、保持部２１に連結されて、第１配管１５の内面と中間ダクト１７の外面１７Ｃ（すなわち、第２配管１６の外面）との間に挿入可能な挿入片２４とを有する。
【００２９】
保持部２１は、一対のラミネート加工されたフィルム状シート２０Ａ，２０Ｂ（面状部材）により形成されている。
フィルム状シート２０Ａ，２０Ｂは、平面略長方形とされ、その長辺２２Ａに挿入片２４、２４が一体に形成されている。
そして、保持部２１は、ワイヤーハーネス１８Ａを介してフィルム状シート２０Ａ，２０Ｂを積層させて張り合わせられることにより、ワイヤーハーネス１８Ａをフィルム状シート２０Ａ，２０Ｂの長手方向に沿って配向下状態で径方向に挟持する（換言すれば、フィルム状シート２０Ａ，２０Ｂがワイヤーハーネス１８Ａの長手方向の所定区間の部分の外周面を覆うように挟持する）。
【００３０】
挿入片２４は、フィルム状シート２０Ａ，２０Ｂの長辺２２Ａからワイヤーハーネス１８Ａの長手方向に対して交差する方向に突出する突出部２５と、突出部２５に支持されてワイヤーハーネス１８Ａの長手方向に対して平行に形成された挿入部２６とを有し、略Ｌ字状に形成されている。
【００３１】
図３に示すように、このような固定部材２０は、フィルム状シート２０Ａ，２０Ｂにより形成された保持部２１および挿入片２４の突出部２５を適宜湾曲させることにより、保持部２１に連結された挿入片２４の挿入部２６を第１配管１５の内面１５Ａと、第２配管１６の外面としての中間ダクト１７における端部１７Ａの外面１７Ｃとの間に挿入し、これにより第１配管１５および第２配管１６に沿ってワイヤーハーネス１８を固定する。
【００３２】
従って、以上のような第１実施形態によれば、シート１０の内側においてワイヤーハーネス１８が部分的に空中配索となる箇所が振動等により異音を発生させたり、あるいは動作に伴って補機に噛み込まれる虞を解消できる。
【００３３】
また、前述した固定部材２０によれば、挿入片２４が一体に形成されたフィルム状シート２０Ａ，２０Ｂ（面状部材）によりワイヤーハーネス１８Ａを径方向に挟持するため、製造コストを低くできるとともに占有空間を小さくすることができ、廃棄時にリサイクルを考慮した分別も容易に行える。
【００３４】
そして、前述した固定部材２０によれば、挿入片２４が突出部２５および挿入部２６を有する略Ｌ字状であるため、突出部２５を適宜変形させることにより、例えば第１配管１５および第２配管１６に対してワイヤーハーネス１８をリジットマウントするか、フローティングマウントするか等、第１配管１５および第２配管１６に対するワイヤーハーネス１８の固定形態を任意に選択できる。
【００３５】
次に、本発明の第２実施形態〜第７実施形態を図４〜図１１に基づいて説明する。
なお、以下に説明する第２実施形態〜第７実施形態において、既に第１実施形態において説明した部材については第１実施形態において用いた符号と同じ符号を付して説明を省略する。
【００３６】
（第２実施形態）
図４に示すように、第２実施形態の固定部材３０は、一対の挿入片２４を有する。
一対の挿入片２４は、挿入部２６がワイヤーハーネス１８Ａの長手方向に対して平行な方向に沿って配置されているとともに互いに離れる方向に向けて配向されている。
【００３７】
固定部材３０は、第１配管１５の内面１５Ａと中間ダクト１７の外面１７Ｃとの間に一方の挿入片２４の挿入部２６を挿入するとともに、第２配管１６の内面１６Ａ（図２参照）と中間ダクト１７の外面１７Ｃとの間に他方の挿入片２４の挿入部２６を挿入することにより、第１配管１５、第２配管１６および中間ダクト１７に取り付けられている。
これにより、ワイヤーハーネス１８Ａは、第１配管１５、第２配管１６および中間ダクト１７に沿って固定されている。
【００３８】
第２実施形態の固定部材３０によれば、一方の挿入片２４の挿入部２６が第１配管１５および中間ダクト１７間に挿入され、他方の挿入片２４の挿入部２６が第２配管１６および中間ダクト１７間に挿入されるため、各挿入片２４が第１配管１５および第２配管１６から同時に脱落しない限り、第１配管１５および第２配管１６に沿ってワイヤーハーネス１８を確実に固定できる。
【００３９】
なお、第２実施形態の固定部材３０では、フィルム状シート２０Ａ，２０Ｂ（面状部材）における一方の長辺２２Ａに一対の挿入片２４が一体に形成されているが、他方の長辺２２Ａにも一対の挿入片２４（図３中、二点鎖線参照）を一体に形成しておいてもよい。
これによれば、第１配管１５および第２配管１６に対する固定部材３０の固定箇所が四箇所となるため、ワイヤーハーネス１８Ａの固定強度が向上する。
【００４０】
（第３実施形態）
図５に示すように、第３実施形態の固定部材４０は、フィルム状シート２０Ａ，２０Ｂ（面状部材）における一方の長辺２２Ａにおいて一体に形成された一対の挿入片２４の挿入部２６がワイヤーハーネス１８Ａの長手方向に対して平行な方向に沿って配置され、各挿入部２６が互いに近付く方向に向けて配向されている。
【００４１】
この第３実施形態において、第１配管１５および第２配管１６は、それぞれの端部が先細りに形成されていて、中間ダクト１７の内側に挿入可能となっている。
そして、固定部材４０は、第１配管１５の外面１５Ｂと中間ダクト１７の内面１７Ｄとの間に一方の挿入片２４の挿入部２６を挿入するとともに、第２配管１６の外面１６Ｂ（図２参照）と中間ダクト１７の内面１７Ｄとの間に他方の挿入片２４の挿入部２６を挿入することにより、第１配管１５、第２配管１６および中間ダクト１７に取り付けられている。
これにより、第１配管１５、第２配管１６および中間ダクト１７にワイヤーハーネス１８Ａが保持されている。
【００４２】
（第４実施形態）
図６に示すように、第４実施形態の固定部材５０は、フィルム状シート２０Ａ，２０Ｂ（面状部材）における短辺２２Ｂの一方の角部において一体に形成された一対の挿入片５１が互いに離れる方向に向けて配向されている。
【００４３】
固定部材５０は、第２実施形態と同様に、第１配管１５の内面１５Ａと中間ダクト１７の外面１７Ｃとの間に一方の挿入片５１を挿入するとともに、第２配管１６の内面１６Ａと中間ダクト１７の外面１７Ｃとの間に他方の挿入片５１を挿入することにより、第１配管１５、第２配管１６および中間ダクト１７に取り付けられている。
これにより、第１配管１５、第２配管１６および中間ダクト１７にワイヤーハーネス１８Ａが保持されている。
【００４４】
なお、第４実施形態の固定部材４０では、フィルム状シート２０Ａ，２０Ｂ（面状部材）における短辺２２Ｂの他方の角部にも挿入片５１（図６中、二点鎖線参照）を一体に形成しておいてもよい。
【００４５】
（第５実施形態）
図７に示すように、第５実施形態の固定部材６０は、略Ｈ字状に形成されたフィルム状シート（面状部材）６１を中央で矢印の方向に折り曲げ、両端部６１Ａを積層させて張り合わせることでワイヤーハーネス１８を挟持可能な保持部６２および挿入片６３が形成されている。
【００４６】
（第６実施形態）
図８（Ａ），（Ｂ）に示すように、第６実施形態の固定部材７０は、保持部としてワイヤーハーネス１８Ａを握着する握着部材７１と、握着部材７１と一体に形成された挿入片７２とを有する。
【００４７】
握着部材７１は、矩形体状の基部７３の上面に結束バンド７４の基端が設けられ、基部７３の両側壁に結束バンド７４の先端７４Ａが貫通可能な係止孔７３Ａが形成されている。
係止孔７３Ａに結束バンド７４の先端７４Ａが差し込まれることで、先端７４Ａが基部７３に取り付けられ、結束バンド７４でワイヤーハーネス１８Ａが締め付けられた状態に握着されている。
結束バンド７４がワイヤーハーネス１８Ａを締め付けて握着することにより、確実にワイヤーハーネス１８Ａが固定部材７０に取り付けられる。
【００４８】
挿入片７２は、握着部材７１の基部７３に、ワイヤーハーネス１８Ａの長手方向に対して平行に形成され、先端７２Ａが第１配管１５の端面１５Ｂに当接するように略Ｕ字状に屈曲されている。
従って、固定部材７０は、先端７２Ａが第１配管１５の端面１５Ｂに当接することにより、挿入片７２が第１配管１５の外面１５Ｄと第２配管１６の内面１６Ａとの間から抜け出すことはない。
【００４９】
従って、以上のような第６実施形態によれば、シート１０の内側においてワイヤーハーネス１８が部分的に空中配索となる箇所が振動等により異音を発生させたり、あるいは動作に伴って補機に噛み込まれる虞を解消できる。
【００５０】
また、第６実施形態の固定部材７０によれば、保持部としてワイヤーハーネス１８Ａを握着する握着部材７１に挿入片７２が一体に形成されているため、製造コストを低くできるとともに占有空間を小さくすることができ、廃棄時にリサイクルを考慮した分別も容易に行える。
【００５１】
さらに、この固定部材７０によれば、第１配管１５の外面１５Ｄと第２配管１６の内面１６Ａとの間に挿入片７２が挿入されるとともに、挿入片７２の先端７２Ａが第１配管１５の端面１５Ｂに当接されているため、ワイヤーハーネス１８Ａを確実に固定できる。
【００５２】
なお、前述した第６実施形態では、挿入片７２の先端７２Ａを略Ｕ字状に屈曲した例について説明したが、これに限らないで、図９に示すように、先端７２Ａを第１配管１５の端面１５Ｂに当接するように略Ｌ字状に屈曲に形成することも可能である。
【００５３】
（第７実施形態）
図１０に示すように、第７実施形態の固定部材８０は、第６実施形態の挿入片７２に代えて一対の挿入片８２を有する。
一対の挿入片８２は、各挿入片８２の挿入部８３がワイヤーハーネス１８Ａの長手方向に対して平行な方向に沿って配置され、各挿入部８３が互いに離れる方向に向けて配向されている。
【００５４】
固定部材８０は、第１配管１５の内面１５Ａと中間ダクト１７の外面１７Ｃとの間に一方の挿入部８３を挿入するとともに、第２配管１６の内面１６Ａと中間ダクト１７の外面１７Ｃとの間に他方の挿入部８３を挿入することにより、第１配管１５、第２配管１６および中間ダクト１７に取り付けられている。
これにより、ワイヤーハーネス１８Ａが第１配管１５、第２配管１６および中間ダクト１７に固定されている。
【００５５】
第７実施形態の固定部材８０によれば、一対の挿入部８３を挿入することにより、一対の挿入部８３が抜け出すことを防止でき、これにより第１配管１５、第２配管１６および中間ダクト１７にワイヤーハーネス１８Ａが一層確実に固定されている。
【００５６】
なお、第７実施形態の固定部材８０では、一対の挿入部８３の先端（挿入片の先端）８３Ａを直線状に形成した例について説明したが、これに限らないで、図１１に示すように、先端８３Ａを中間ダクト１７の端面１７Ｄ（図１０参照）に当接するように略Ｕ字状に屈曲形成することも可能である。
先端８３Ａを端面１７Ｄに当接することで、一対の挿入部８３が抜け出すことを防いで第１配管１５、第２配管１６および中間ダクト１７にワイヤーハーネス１８Ａがより一層確実に保持されている。
【００５７】
なお、前述した第１実施形態〜第７実施形態では、座部外装材１１Ａに空調ファン１３を内蔵し、背もたれ部外装材１２Ａに吹き出し部１４を内蔵したシートに適用される固定部材を説明したが、本発明は座部外装材１１Ａに吹き出し部１４を内蔵し、背もたれ部外装材１２Ａに空調ファン１３を内蔵したシートにも適用可能である。
【００５８】
また、前述した第１実施形態〜第７実施形態において示した座部外装材、背もたれ部外装材、空調ファン、吹き出し部、第１配管、第２配管、面状部材、挿入片、突出部、挿入部、握着部材等の形状は例示したものに限定するものではなく適宜変更が可能である。
【産業上の利用可能性】
【００５９】
本発明は、空調ファンからの送風を吹き出し部に導通させる第１配管および第２配管に沿って固定されるワイヤーハーネスの固定部材およびシートへの適用に好適である。
【図面の簡単な説明】
【００６０】
【図１】本発明に係るシート（第１実施形態）を示す斜視図である。
【図２】第１実施形態の固定部材を示す斜視図である。
【図３】第１実施形態の固定部材を第１配管および第２配管に固定した状態を示す断面図である。
【図４】第２実施形態の固定部材を示す斜視図である。
【図５】第３実施形態の固定部材を示す斜視図である。
【図６】第４実施形態の固定部材を示す斜視図である。
【図７】第５実施形態の固定部材を示す斜視図である。
【図８】（Ａ）は第６実施形態の固定部材を示す斜視図、（Ｂ）は断面図である。
【図９】第６実施形態の変形例を示す断面図である。
【図１０】第７実施形態の固定部材を示す斜視図である。
【図１１】第７実施形態の変形例を示す断面図である。
【符号の説明】
【００６１】
１０  シート
１１  座部
１２  背もたれ部
１３  空調ファン（補機）
１４  吹き出し部（補機）
１５  第１配管
１５Ｂ  第１配管の端面
１６  第２配管
１６Ａ  第２配管の内面
１７Ｃ  中間ダクト１７の外面
１７Ｄ  中間ダクト１７の端面
１８，１８Ａ，１８Ｂ  ワイヤーハーネス
２２  フィルム状シート（面状部材）
２４，５１，６３，７２，８２  挿入片
２５  突出部
２６  挿入部
７１  握着部材
７２Ａ  挿入片の先端
８３Ａ  挿入部の先端（挿入片の先端）
【図１】
2009154653.tif 000003
【図２】
2009154653.tif 000004
【図３】
2009154653.tif 000005
【図４】
2009154653.tif 000006
【図５】
2009154653.tif 000007
【図６】
2009154653.tif 000008
【図７】
2009154653.tif 000009
【図８】
2009154653.tif 000010
【図９】
2009154653.tif 000011
【図１０】
2009154653.tif 000012
【図１１】
2009154653.tif 000013